(57)【要約】【課題】    本考案の目的は、着用者の足の部位に対応して、該足の部位を刺激することができるようにして、使用勝手を向上させたインソールを提供するものである。【解決手段】    インソール１は、柔軟なインソール本体１０と、このインソール本体１０の表又は裏であって、インソール本体１０の足の土踏まずに対応する部位に設けられたインソール本体１０の長手方向に沿った方向において長手の凹溝１１と、土踏まずを刺激する柔軟な土踏まず用刺激部材２０と、この土踏まず用刺激部材２０に設けられた柔軟な土踏まず用足２１と、着用者の土踏まずの位置に対応して、長手の凹溝１１に土踏まず用足２１を係止させるものである。【選択図】図３
0003197788.tif 000002
【実用新案登録請求の範囲】
【請求項１】
柔軟なインソール本体と、
このインソール本体の表又は裏であって、前記インソール本体の足の土踏まずに対応する部位に設けられた前記インソール本体の長手方向に沿った方向において長手の凹溝と、
土踏まずを刺激する柔軟な土踏まず用刺激部材と、
この土踏まず用刺激部材に設けられた柔軟な土踏まず用足と、
着用者の土踏まずの位置に対応して、前記長手の凹溝に前記土踏まず用足を係止させる
ことを特徴とするインソール。
【請求項２】
柔軟なインソール本体と、
このインソール本体の足の土踏まずに対応する部位であって、前記インソール本体の長手方向に沿った方向において長手で、前記インソール本体の表と裏に貫通する長手の貫通孔と、
土踏まずを刺激する柔軟な土踏まず用刺激部材と、
この土踏まず用刺激部材に設けられた柔軟な土踏まず用足と、
着用者の土踏まずの位置に対応して、前記長手の貫通孔に前記土踏まず用足を係止させる
ことを特徴とするインソール。
【請求項３】
長手の凹溝は、少なくとも、第１の長手の凹溝、第２の長手の凹溝を有し、
土踏まず用足は、少なくとも、第１の凸形状の土踏まず用足、第２の凸形状の土踏まず用足を有し、
前記第１の長手の凹溝に前記第１の凸形状の土踏まず用足を、前記第２の長手の凹溝に前記第２の凸形状の土踏まず用足を、それぞれ係止させる
ことを特徴とする請求項１記載のインソール。
【請求項４】
長手の貫通孔は、少なくとも、第１の長手の貫通孔、第２の長手の貫通孔を有し、
土踏まず用足は、少なくとも、第１の凸形状の土踏まず用足、第２の凸形状の土踏まず用足を有し、
前記第１の長手の貫通孔に前記第１の凸形状の土踏まず用足を、前記第２の長手の貫通孔に前記第２の凸形状の土踏まず用足を、それぞれ係止させる
ことを特徴とする請求項２記載のインソール。
【請求項５】
インソール本体、土踏まず用刺激部材及び土踏まず用足が粘着ポリウレタンで形成され、
前記インソール本体の足が当接する面にフィルムが付着している
ことを特徴とする請求項１又は請求項２記載のインソール。
【請求項６】
柔軟なインソール本体と、
このインソール本体の表又は裏であって、前記インソール本体の足の中足骨に対応する部位に設けられた前記インソール本体の長手方向に沿った方向において長手の中足骨用凹溝と、
中足骨を刺激する柔軟な中足骨用刺激部材と、
この中足骨用刺激部材に設けられた柔軟な中足骨用足と、
着用者の中足骨の位置に対応して、前記長手の中足骨用凹溝に前記中足骨用足を係止させる
ことを特徴とするインソール。
【請求項７】
柔軟なインソール本体と、
このインソール本体の足の中足骨に対応する部位であって、前記インソール本体の長手方向に沿った方向において長手で、前記インソール本体の表と裏に貫通する長手の中足骨用貫通孔と、
中足骨を刺激する柔軟な中足骨用刺激部材と、
この中足骨用刺激部材に設けられた柔軟な中足骨用足と、
着用者の中足骨の位置に対応して、前記長手の中足骨用貫通孔に前記中足骨用足を係止させる
ことを特徴とするインソール。
【請求項８】
長手の中足骨用凹溝は、少なくとも、第１の長手の中足骨用凹溝、第２の長手の中足骨用凹溝を有し、
中足骨用足は、少なくとも、第１の凸形状の中足骨用足、第２の凸形状の中足骨用足を有し、
前記第１の長手の中足骨用凹溝に前記第１の凸形状の中足骨用足を、前記第２の長手の中足骨用凹溝に前記第２の凸形状の中足骨用足を、それぞれ係止させる
ことを特徴とする請求項６記載のインソール。
【請求項９】
長手の中足骨用貫通孔は、少なくとも、第１の長手の中足骨用貫通孔、第２の長手の中足骨用貫通孔を有し、
中足骨用足は、少なくとも、第１の凸形状の中足骨用足、第２の凸形状の中足骨用足を有し、
前記第１の長手の中足骨用貫通孔に前記第１の凸形状の中足骨用足を、前記第２の長手の中足骨用貫通孔に前記第２の凸形状の中足骨用足を、それぞれ係止させる
ことを特徴とする請求項７記載のインソール。
【請求項１０】
インソール本体、中足骨用刺激部材及び中足骨用足が粘着ポリウレタンで形成され、
前記インソール本体の足が当接する面にフィルムが付着している
ことを特徴とする請求項６又は請求項７記載のインソール。
【考案の詳細な説明】
【技術分野】
【０００１】
本考案は、インソールに係り、特に、着用者の足の部位に対応して、該足の部位を刺激することができるようにして、使用勝手を向上させたインソールに関する。
【背景技術】
【０００２】
従来、インソールに足の土踏まず、中足骨を刺激する部材が設けられている。
【考案の概要】
【考案が解決しようとする課題】
【０００３】
しかしながら、上記インソールの土踏まず用刺激部材、中足骨用刺激部材にあっては、固定化されているため、着用者の足の部位に対応しておらず、使用勝手が良好でないという問題点があった。
【０００４】
本考案は、上記の問題点を考慮してなされたインソールを提供することを目的とする。
【課題を解決するための手段】
【０００５】
請求項１記載のインソールは、柔軟なインソール本体と、このインソール本体の表又は裏であって、前記インソール本体の足の土踏まずに対応する部位に設けられた前記インソール本体の長手方向に沿った方向において長手の凹溝と、土踏まずを刺激する柔軟な土踏まず用刺激部材と、この土踏まず用刺激部材に設けられた柔軟な土踏まず用足と、着用者の土踏まずの位置に対応して、前記長手の凹溝に前記土踏まず用足を係止させるものである。
【０００６】
また、請求項２記載のインソールは、柔軟なインソール本体と、このインソール本体の足の土踏まずに対応する部位であって、前記インソール本体の長手方向に沿った方向において長手で、前記インソール本体の表と裏に貫通する長手の貫通孔と、土踏まずを刺激する柔軟な土踏まず用刺激部材と、この土踏まず用刺激部材に設けられた柔軟な土踏まず用足と、着用者の土踏まずの位置に対応して、前記長手の貫通孔に前記土踏まず用足を係止させるものである。
【０００７】
また、請求項３記載のインソールは、請求項１又は請求項２記載のインソールにおいて、長手の凹溝は、少なくとも、第１の長手の凹溝、第２の長手の凹溝を有し、土踏まず用足は、少なくとも、第１の凸形状の土踏まず用足、第２の凸形状の土踏まず用足を有し、前記第１の長手の凹溝に前記第１の凸形状の土踏まず用足を、前記第２の長手の凹溝に前記第２の凸形状の土踏まず用足を、それぞれ係止させるものである。
【０００８】
また、請求項４記載のインソールは、請求項２記載のインソールにおいて、長手の貫通孔は、少なくとも、第１の長手の貫通孔、第２の長手の貫通孔を有し、土踏まず用足は、少なくとも、第１の凸形状の土踏まず用足、第２の凸形状の土踏まず用足を有し、前記第１の長手の貫通孔に前記第１の凸形状の土踏まず用足を、前記第２の長手の貫通孔に前記第２の凸形状の土踏まず用足を、それぞれ係止させるものである。
【０００９】
また、請求項５記載のインソールは、請求項１又は請求項２記載のインソールにおいて、インソール本体、土踏まず用刺激部材及び土踏まず用足が粘着ポリウレタンで形成され、前記インソール本体の足が当接する面にフィルムが付着しているものである。
【００１０】
また、請求項６記載のインソールは、柔軟なインソール本体と、このインソール本体の表又は裏であって、前記インソール本体の足の中足骨に対応する部位に設けられた前記インソール本体の長手方向に沿った方向において長手の中足骨用凹溝と、中足骨を刺激する柔軟な中足骨用刺激部材と、この中足骨用刺激部材に設けられた柔軟な中足骨用足と、着用者の中足骨の位置に対応して、前記長手の中足骨用凹溝に前記中足骨用足を係止させるものである。
【００１１】
また、請求項７記載のインソールは、柔軟なインソール本体と、このインソール本体の足の中足骨に対応する部位であって、前記インソール本体の長手方向に沿った方向において長手で、前記インソール本体の表と裏に貫通する長手の中足骨用貫通孔と、中足骨を刺激する柔軟な中足骨用刺激部材と、この中足骨用刺激部材に設けられた柔軟な中足骨用足と、着用者の中足骨の位置に対応して、前記長手の中足骨用貫通孔に前記中足骨用足を係止させるものである。
【００１２】
また、請求項８記載のインソールは、長手の中足骨用凹溝は、少なくとも、第１の長手の中足骨用凹溝、第２の長手の中足骨用凹溝を有し、中足骨用足は、少なくとも、第１の凸形状の中足骨用足、第２の凸形状の中足骨用足を有し、前記第１の長手の中足骨用凹溝に前記第１の凸形状の中足骨用足を、前記第２の長手の中足骨用凹溝に前記第２の凸形状の中足骨用足を、それぞれ係止させるものである。
【００１３】
また、請求項９記載のインソールは、請求項７記載のインソールにおいて、長手の中足骨用貫通孔は、少なくとも、第１の長手の中足骨用貫通孔、第２の長手の中足骨用貫通孔を有し、中足骨用足は、少なくとも、第１の凸形状の中足骨用足、第２の凸形状の中足骨用足を有し、前記第１の長手の中足骨用貫通孔に前記第１の凸形状の中足骨用足を、前記第２の長手の中足骨用貫通孔に前記第２の凸形状の中足骨用足を、それぞれ係止させるものである。
【００１４】
また、請求項１０記載のインソールは、請求項６又は請求項７記載のインソールにおいて、インソール本体、中足骨用刺激部材及び中足骨用足が粘着ポリウレタンで形成され、前記インソール本体の足が当接する面にフィルムが付着しているものである。
【考案の効果】
【００１５】
請求項１記載のインソールによれば、着用者の土踏まずの位置に対応して、長手の凹溝に土踏まず用足を係止させるため、つまり、着用者の土踏まずの部位に対応して位置調整をすることができるため、着用者の土踏まずの部位を刺激することができるようにして、使用勝手を向上させたインソールを提供することができ、長手の凹溝をインソール本体の裏に設けた場合、土踏まず用刺激部材をインソール本体の裏面側に設けるため、土踏まず用刺激部材が直接足等に当接しない分、土踏まず用刺激部材がめくれ等せず、土踏まず用刺激部材の耐久性を向上させることができる。
【００１６】
また、請求項２記載のインソールによれば、着用者の土踏まずの位置に対応して、長手の貫通孔に土踏まず用足を係止させるため、つまり、着用者の土踏まずの部位に対応して位置調整をすることができるため、着用者の土踏まずの部位を刺激することができるようにして、使用勝手を向上させたインソールを提供することができ、長手の貫通孔に土踏まず用足をインソール本体の裏から挿入した場合、土踏まず用刺激部材をインソール本体の裏面側に設けるため、土踏まず用刺激部材が直接足等に当接しない分、土踏まず用刺激部材がめくれ等せず、土踏まず用刺激部材の耐久性を向上させることができる。
【００１７】
また、請求項３記載のインソールによれば、上述した請求項１記載の考案の効果に加え、第１の長手の凹溝に第１の凸形状の土踏まず用足を、第２の長手の凹溝に第２の凸形状の土踏まず用足を、それぞれ係止させるため、係止させる部位が複数の領域に及んで、土踏まず刺激部材をインソール本体に安定して係止させることができる。
【００１８】
また、請求項４記載のインソールによれば、上述した請求項２記載の考案の効果に加え、第１の長手の貫通孔に第１の凸形状の土踏まず用足を、第２の長手の貫通孔に第２の凸形状の土踏まず用足を、それぞれ係止させるため、付着させる部位が複数の領域に及んで、土踏まず刺激部材をインソール本体に安定して係止させることができる。
【００１９】
また、請求項５記載のインソールによれば、上述した請求項１又は請求項２記載の考案の効果に加え、インソール本体、土踏まず用刺激部材及び土踏まず用足が粘着ポリウレタンで形成されているため、粘着が加わる分、土踏まず用足とインソール本体との係止が強固となる。
【００２０】
また、請求項６記載のインソールによれば、着用者の中足骨の位置に対応して、長手の中足骨用凹溝に中足骨用足を係止させるため、つまり、着用者の中足骨の部位に対応して位置調整をすることができるため、着用者の中足骨の部位を刺激することができるようにして、使用勝手を向上させたインソールを提供することができ、長手の中足骨用凹溝をインソール本体の裏に設けた場合、中足骨用刺激部材をインソール本体の裏面側に設けるため、中足骨用刺激部材が直接足等に当接しない分、中足骨用刺激部材がめくれ等せず、中足骨用刺激部材の耐久性を向上させることができる。
【００２１】
また、請求項７記載のインソールによれば、着用者の中足骨の位置に対応して、長手の中足骨用貫通孔に中足骨用足を係止させるため、つまり、着用者の中足骨の部位に対応して位置調整をすることができるため、着用者の中足骨の部位を刺激することができるようにして、使用勝手を向上させたインソールを提供することができ、長手の中足骨用貫通孔に中足骨用足をインソール本体の裏から挿入した場合、中足骨用刺激部材をインソール本体の裏面側に設けるため、中足骨用刺激部材が直接足等に当接しない分、中足骨用刺激部材がめくれ等せず、中足骨用刺激部材の耐久性を向上させることができる。
【００２２】
また、請求項８記載のインソールによれば、述した請求項６記載の考案の効果に加え、第１の長手の中足骨用凹溝に第１の凸形状の中足骨用足を、第２の長手の中足骨用凹溝に第２の凸形状の中足骨用足を、それぞれ係止させるため、係止させる部位が複数の領域に及んで、中足骨用刺激部材をインソール本体に安定して係止させることができる。
【００２３】
また、請求項９記載のインソールによれば、上述した請求項７記載の考案の効果に加え、第１の長手の中足骨用貫通孔に第１の凸形状の中足骨用足を、第２の長手の中足骨用貫通孔に第２の凸形状の中足骨用足を、それぞれ係止させるため、付着させる部位が複数の領域に及んで、中足骨用刺激部材をインソール本体に安定して係止させることができる。
【００２４】
また、請求項１０記載のインソールによれば、上述した請求項６又は請求項７記載の考案の効果に加え、インソール本体、中足骨用刺激部材及び中足骨用足が粘着ポリウレタンで形成されているため、粘着が加わる分、中足骨用足とインソール本体との係止が強固となる。
【図面の簡単な説明】
【００２５】
【図１】図１は、本考案の一実施例のインソールの概略的平面図である。
【図２】図２は、図１のインソール本体に土踏まず用刺激部材及び中足骨用刺激部材を装着する前の状態の概略的平面図である。
【図３】図３は、図２の概略的斜視図である。
【図４】図４は、図１の４−４線による概略的断面図である。
【図５】図５は、図１の４−４線による概略的断面図である。
【図６】図６（ａ）は、着用者の土踏まずの位置に対応して、図２のインソール本体に土踏まず用刺激部材を装着する前の状態の概略的断面図であり、図６（ｂ）は、 図６（ａ）のインソール本体に土踏まず用刺激部材を装着した状態の概略的断面図である。
【図７】図７（ａ）は、図６と異なる着用者の土踏まずの位置に対応して、図２のインソール本体に土踏まず用刺激部材を装着する前の状態の概略的断面図であり、図７（ｂ）は、 図７（ａ）のインソール本体に土踏まず用刺激部材を装着した状態の概略的断面図である。
【図８】図８（ａ）は、着用者の中足骨の位置に対応して、図２のインソール本体に中足骨用刺激部材を装着する前の状態の概略的断面図であり、図８（ｂ）は、 図８（ａ）のインソール本体に中足骨用刺激部材を装着した状態の概略的断面図である。
【図９】図９（ａ）は、図８と異なる着用者の中足骨の位置に対応して、図２のインソール本体に中足骨用刺激部材を装着する前の状態の概略的断面図であり、図９（ｂ）は、 図９（ａ）のインソール本体に中足骨用刺激部材を装着した状態の概略的断面図である。
【図１０】図１０は、中足骨用刺激部材をインソール本体の裏面側に取り付けた状態の概略的断面図である。
【図１１】図１１は、土踏まず用刺激部材をインソール本体の裏面側に取り付けた状態の概略的断面図である。
【図１２】図１２は、中足骨用刺激部材をインソール本体の貫通孔に取り付けた状態の概略的断面図である。
【図１３】図１３は、土踏まず用刺激部材をインソール本体の貫通孔に取り付けた状態の概略的断面図である。
【考案を実施するための形態】
【００２６】
本考案の一実施例のインソールを図面を参照して説明する（図１乃至図９参照）。
図１に示す１はインソールで、インソール１は、足裏を刺激して疲れを取ったりすることなどを目的として、靴の中に敷く中底で、柔軟なインソール本体１０を有している。
インソール本体１０は、例えば、合成樹脂、粘着性のある合成樹脂、望ましくは、粘着ポリウレタンで形成されている。
インソール本体１０を粘着ポリウレタンで形成した場合、インソール本体１０の足が当接する面１０Ａにフィルム（図示せず）を付着させるようにする。なお、１０Ａは、足に当接する部位である。
【００２７】
２０は着用者の足の土踏まずを刺激する柔軟な土踏まず用刺激部材で、３０は着用者の足の中足骨を刺激する柔軟な中足骨用刺激部材である。
土踏まず用刺激部材２０及び中足骨用刺激部材３０は、例えば、合成樹脂、粘着性のある合成樹脂、望ましくは、粘着ポリウレタンで形成されている。
本考案の実施例のインソール１の土踏まず用刺激部材２０及び中足骨用刺激部材３０の位置は、着用者の足の土踏まず及び中足骨の位置に合わせることができる。
即ち、インソール１は、図１のように一体的ではなく、土踏まず用刺激部材２０及び中足骨用刺激部材３０は、図２及び図３のように、インソール本体１０とは、別体になっている。
【００２８】
また、図２及び図３に示す１１は、インソール本体１０の足の土踏まずに対応する部位に設けられた長手の凹溝で、長手の凹溝１１は、インソール本体１０の表（又は裏）であって、インソール本体１０の足の土踏まずに対応する部位に設けられたインソール本体１０の長手方向に沿った方向において長手の凹溝となっている。長手の凹溝１１は、少なくとも、第１の長手の凹溝１１１、第２の長手の凹溝１１２を有している。
なお、長手の凹溝１１は、第１の長手の凹溝１１１、第２の長手の凹溝１１２を連通させて、単一の長手の凹溝（図示せず)としても良い。
【００２９】
また、図２及び図３に示す１２は、インソール本体１０の表（又は裏）であって、インソール本体１０の足の中足骨に対応する部位に設けられたインソール本体１０の長手方向に沿った方向において長手の中足骨用凹溝で、長手の中足骨用凹溝１２は、例えば、少なくとも、第１の長手の中足骨用凹溝１２１、第２の長手の中足骨用凹溝１２２を有している。
なお、長手の中足骨用凹溝１２は、第１の長手の中足骨用凹溝１２１、第２の長手の中足骨用凹溝１２２を連通させて、単一の長手の中足骨用凹溝（図示せず)としても良い。
【００３０】
また、図３に示す２１は、土踏まず用刺激部材２０に設けられた柔軟な土踏まず用足で、土踏まず用足２１は、少なくとも、第１の凸形状の土踏まず用足２１１、第２の凸形状の土踏まず用足２１２を有している。
なお、上述した単一の長手の凹溝（図示せず)の場合にあっては、土踏まず用足２１は、図示しないが、単一でも良い。
また、土踏まず用足２１は、土踏まず用刺激部材２０と同様に、例えば、合成樹脂、粘着性のある合成樹脂、望ましくは、粘着ポリウレタンで形成されている。
【００３１】
また、図３に示す３１は、中足骨用刺激部材３０に設けられた柔軟な中足骨用足で、中足骨用足３１は、少なくとも、第１の凸形状の中足骨用足３１１、第２の凸形状の中足骨用足３１２を有している。
なお、単一の長手の中足骨用凹溝（図示せず)の場合にあっては、中足骨用足３１は、図示しないが、単一でも良い。
また、中足骨用足３１は、中足骨用刺激部材３０と同様に、例えば、合成樹脂、粘着性のある合成樹脂、望ましくは、粘着ポリウレタンで形成されている。
【００３２】
そして、インソール１の土踏まず用刺激部材２０の位置を、例えば、図６（ａ）、図７（ａ）に示すように移動させ、着用者の足の土踏まずの位置に対応させ、長手の凹溝１１に土踏まず用足２１を係止させることができる。
係止は、図２記載の長手の凹溝１１と直交する長手の凹溝１１の狭い幅方向の凹溝１１の内壁面に、例えば、圧入して土踏まず用足２１を係止させる。圧入しない場合は、土踏まず用足２１を粘着ポリウレタンで形成し、図２記載の長手の凹溝１１と直交する長手の凹溝１１の狭い幅方向の凹溝１１の内壁面、凹溝１１の底壁に、粘着ポリウレタンで形成した土踏まず用足２１を当接させて係止させる［図６（ｂ）、図７（ｂ）］。
つまり、着用者の土踏まずの部位に対応して位置調整をすることができるため、着用者の土踏まずの部位を刺激することができるようにして、使用勝手を向上させたインソール１を提供することができる。
なお、土踏まず用足２１が、少なくとも、第１の凸形状の土踏まず用足２１１、第２の凸形状の土踏まず用足２１２を有している場合にあっては、第１の長手の凹溝１１１に第１の凸形状の土踏まず用足２１１を、第２の長手の凹溝１１２に第２の凸形状の土踏まず用足２１２を、それぞれ係止させる。
つまり、係止させる部位が複数の領域に及んで、土踏まず刺激部材２０をインソール本体１０に安定して係止させることができる。
その際、土踏まず用足２１をインソール本体１０の裏面１０Ｂ（又は、図１１に示す表面１０Ａ）側から取り付るようにしても良い。
また、土踏まず用足２１を粘着ポリウレタンで形成した場合、粘着が加わる分、土踏まず用足２１とインソール本体１０との係止が強固となる。
【００３３】
また、インソール１の中足骨用刺激部材３０の位置を、例えば、図８（ａ）、図９（ａ）に示すように移動させ、着用者の中足骨の位置に対応して、長手の中足骨用凹溝１２に中足骨用足３１を係止させる。
係止は、図２記載の長手の中足骨用凹溝１２と直交する長手の中足骨用凹溝１２の狭い幅方向の中足骨用凹溝１２の内壁面に、例えば、圧入して中足骨用足３１を係止させる。圧入しない場合は、中足骨用足３１を粘着ポリウレタンで形成し、図２記載の長手の中足骨用凹溝１２と直交する長手の中足骨用凹溝１２の狭い幅方向の中足骨用凹溝１２の内壁面、中足骨用凹溝１２の底壁に、粘着ポリウレタンで形成した中足骨用足３１を当接させて係止させる［図８（ｂ）、図９（ｂ）］。
つまり、着用者の中足骨の部位に対応して位置調整をすることができるため、着用者の中足骨の部位を刺激することができるようにして、使用勝手を向上させたインソール１を提供することができる。
なお、中足骨用足３１が、少なくとも、第１の凸形状の中足骨用足３１１、第２の凸形状の中足骨用足３１２を有している場合にあっては、第１の長手の中足骨用凹溝１２１に第１の凸形状の中足骨用足３１１を、第２の長手の中足骨用凹溝１２２に第２の凸形状の中足骨用足３１２を、それぞれ係止させる。
つまり、係止させる部位が複数の領域に及んで、中足骨用刺激部材３０をインソール本体１０に安定して係止させることができる。
その際、中足骨用足３１をインソール本体１０の裏面１０Ｂ（又は、図１２に示す表面１０Ａ）側から取り付るようにしても良い。
また、中足骨用足３１を粘着ポリウレタンで形成した場合、粘着が加わる分、中足骨用足３１とインソール本体１０との係止が強固となる。
【００３４】
上述した実施例（図１乃至図９）においては、中足骨用刺激部材３０をインソール本体１０の表面１０Ａに取り付けたが、本願考案にあっては、これに限らず、図１０に示すように、中足骨用刺激部材３０をインソール本体１０の裏面１０Ｂに取り付るようにしても良い。
長手の中足骨用凹溝１２をインソール本体１０の裏に設け、長手の中足骨用凹溝１２に中足骨用足３１を係止させた場合、中足骨用刺激部材３０をインソール本体１０の裏面側に設けるため、中足骨用刺激部材３０が直接足等に当接しない分、中足骨用刺激部材３０がめくれ等せず、中足骨用刺激部材３０の耐久性を向上させることができる。
なお、図１０の実施例にあっては、上述した実施例（図１乃至図９）と同一部分に同一符号を付してその説明を省略する。
【００３５】
また、上述した実施例（図１乃至図９）においては、土踏まず用刺激部材２０をインソール本体１０の表面１０Ａに取り付けたが、本願考案にあっては、これに限らず、図１１に示すように、土踏まず用刺激部材２０をインソール本体１０の裏面１０Ｂに取り付るようにしても良い。
長手の凹溝１１をインソール本体１０の裏に設け、長手の凹溝１１に土踏まず用足２１を係止させた場合、土踏まず用刺激部材２０をインソール本体１０の裏面側に設けるため、土踏まず用刺激部材２０が直接足等に当接しない分、土踏まず用刺激部材２０がめくれ等せず、土踏まず用刺激部材２０の耐久性を向上させることができる。
なお、図１１の実施例にあっては、上述した実施例（図１乃至図９）と同一部分に同一符号を付してその説明を省略する。
【００３６】
また、上述した実施例（図１乃至図１０）においては、中足骨用刺激部材３０をインソール本体１０の長手の中足骨用凹溝１２に取り付けたが、本願考案にあっては、これに限らず、図１２に示すように、中足骨用刺激部材３０を長手の中足骨用貫通孔Ｍに中足骨用足３１を係止（第１の長手の中足骨用貫通孔Ｍ１に第１の凸形状の中足骨用足３１１を、第２の長手の中足骨用貫通孔Ｍ２に第２の凸形状の中足骨用足３１２を、それぞれ係止させる）させる。
係止は、図１２記載の長手の中足骨用貫通孔Ｍと直交する長手の中足骨用貫通孔Ｍの狭い幅方向の貫通孔Ｍの内壁面に、例えば、圧入して中足骨用足３１を係止させる。圧入しない場合は、中足骨用足３１を粘着ポリウレタンで形成し、図１２記載の長手の中足骨用貫通孔Ｍと直交する長手の中足骨用貫通孔Ｍの狭い幅方向の貫通孔Ｍの内壁面に、粘着ポリウレタンで形成した中足骨用足３１を当接させて係止させる。
その際、中足骨用足３１をインソール本体１０の裏面１０Ｂ（又は表面１０Ａ）側から取り付るようにしても良い。
なお、図１２の実施例にあっては、上述した実施例（図１乃至図１０）と同一部分に同一符号を付してその説明を省略する。
【００３７】
また、上述した実施例（図１乃至図９、図１１）においては、土踏まず用刺激部材２０をインソール本体１０の長手の凹溝１１に取り付けたが、本願考案にあっては、これに限らず、図１３に示すように、土踏まず用刺激部材２０の長手の貫通孔Ｎに土踏まず用足２１を係止（第１の長手の貫通孔Ｎ１に第１の凸形状の土踏まず用足２１１を、第２の長手の貫通孔Ｎ２に第２の凸形状の土踏まず用足２１２を、それぞれ係止させる）させる。    係止は、図１３記載の長手の貫通孔Ｎと直交する長手の貫通孔Ｎの狭い幅方向の貫通孔Ｎの内壁面に、例えば、圧入して土踏まず用足２１を係止させる。圧入しない場合は、土踏まず用足２１を粘着ポリウレタンで形成し、図１３記載の長手の貫通孔Ｎと直交する長手の貫通孔Ｎの狭い幅方向の貫通孔Ｎの内壁面に、粘着ポリウレタンで形成した土踏まず用足２１を当接させて係止させる。
その際、土踏まず用足２１をインソール本体１０の裏面１０Ｂ（又は表面１０Ａ）側から取り付るようにしても良い。
なお、図１３の実施例にあっては、上述した実施例（図１乃至図９、図１１）と同一部分に同一符号を付してその説明を省略する。
【符号の説明】
【００３８】
１      インソール
１０    インソール本体
１１    長手の凹溝
２０    土踏まず用刺激部材
２１    土踏まず用足
【図１】
0003197788.tif 000003
【図２】
0003197788.tif 000004
【図３】
0003197788.tif 000005
【図４】
0003197788.tif 000006
【図５】
0003197788.tif 000007
【図６】
0003197788.tif 000008
【図７】
0003197788.tif 000009
【図８】
0003197788.tif 000010
【図９】
0003197788.tif 000011
【図１０】
0003197788.tif 000012
【図１１】
0003197788.tif 000013
【図１２】
0003197788.tif 000014
【図１３】
0003197788.tif 000015